(57)【特許請求の範囲】
【請求項１】
リールシートを握り、肘を竿尻端部に載置した状態で、釣り人の手首が位置する部位に、竿尻側ほど竿体の外周面から離れる状態に立ち上がる先側傾斜受止面と、その先側傾斜受止面の竿元側端から竿尻側ほど竿体の外周面に近づく状態に立ち下る元側傾斜受止面とを備え、前記先側傾斜受止面及び前記元側傾斜受止面の前記竿体の外周面に向かう下向き面とその竿体の外周面との間に、竿体繋ぎ止め用紐状体を挿通係止する挿通係止孔を形成してある釣り竿用尻手ロープ係止具。
【請求項２】
前記先側傾斜受止面と前記元側傾斜受止面とが、釣り人の手首の曲がり具合に沿った山形形状を呈している請求項１記載の釣り竿用尻手ロープ係止具。
【請求項３】
請求項１または２記載の釣り竿用尻手ロープ係止具を装着してある釣り竿。
【発明の詳細な説明】
【技術分野】
【０００１】
本発明は、竿体繋ぎ止め用紐状体を挿通係止する挿通係止孔を形成してある釣り竿用尻手ロープ係止具及びその竿用尻手ロープ係止具とリールを取り付けるリールシートとを装備した釣り竿に関する。
【背景技術】
【０００２】
磯釣り等においては、岩場に竿受けを設け、この竿受け等に磯竿を載置した状態で、魚の当りを待つ釣り形態がある。この場合に、咄嗟に魚の当りがあり、そのことに釣り人が、気がつかないと、釣り竿が魚に曳かれて竿受けから脱落して海中に引き込まれることとなる。
そこで、岩場にピトン等の固定側係止具を設け、その固定側係止具と釣り竿とを竿体繋ぎ止め用紐状体で繋ぎ止めるための竿用尻手ロープ係止具が釣り竿には設けられている（特許文献１）。
【特許文献１】実開平５−９１３３３号公報（段落〔０００８〕，図１及び図７）
【発明の開示】
【発明が解決しようとする課題】
【０００３】
竿用尻手ロープ係止具としては、ピトンと釣り竿とを繋ぎ止めるだけに利用されており、リールシートより竿尻側においては他の部品を取り付ける余地はあまりなく、部品の兼用化を図る必要性があった。
【０００４】
本発明の目的は、竿用尻手ロープ係止具の設置位置と形状とに工夫を凝らして、竿用尻手ロープ係止具の多機能化を図ることのできる竿用尻手ロープ係止具及びそれを装備した釣り竿を提供する点にある。
【課題を解決するための手段】
【０００５】
〔構成〕。
請求項１に係る発明の特徴構成は、リールシートを握り、肘を竿尻端部に載置した状態で、釣り人の手首が位置する部位に、竿尻側ほど竿体の外周面から離れる状態に立ち上がる先側傾斜受止面と、その先側傾斜受止面の竿元側端から竿尻側ほど竿体の外周面に近づく状態に立ち下る元側傾斜受止面とを備え、前記先側傾斜受止面及び前記元側傾斜受止面の前記竿体の外周面に向かう下向き面とその竿体の外周面との間に、竿体繋ぎ止め用紐状体を挿通係止する挿通係止孔を形成してある点にあり、その作用効果は次ぎの通りである。
【０００６】
〔作用〕
竿用尻手ロープ係止具には、竿体繋ぎ止め用紐状体を挿通係止する挿通係止孔を形成してあるので、竿体繋ぎ止め用紐状体をピトン等の固定側係止具と竿用尻手ロープ係止具とに亘って架け渡すことによって、釣り竿を固定側係止具に繋ぎ止めることができる。
一方、竿用尻手ロープ係止具には、先側傾斜受止面と元側傾斜受止面とが設けてあるところから、リールシートの竿尻端側にその竿用尻手ロープ係止具を設けると、先側傾斜受止面と元側傾斜受止面が、リールシートを持ち、肘を竿尻端部に載置した釣り人の手首の曲がり部分に接触作用することとなり、竿用尻手ロープ係止具によってリールシートを持つ釣り人の手首部分を支持するものとなる。
【０００７】
そうすると、穂先竿にかかる魚の引き力によって前下がり姿勢となろうとする釣り竿を、リールシートを握った手で持上げようとする際に手首部分が支持されているので、持上げ負担が軽減する。
他方では、先側傾斜受止面が竿尻側ほど竿体の外周面から離れる状態に立ち上がる状態に形成してあるので、その先側傾斜受止面が、手首に対してその手首が竿尻側に移動することを規制する抵抗を与えることとなっており、リールシートを握る手指が竿尻側にズレ動くことを規制できて、リールシートを握る手指の負担が少なくなる。
【０００８】
〔効果〕
したがって、竿用尻手ロープ係止具を手首置きとして機能させることができ、竿用尻手ロープ係止具の多機能化を図って、リールシートの竿尻側の部品構成を簡素化できる。
【０００９】
〔構成〕
請求項２に係る発明の特徴構成は、上記第１の発明において、前記先側傾斜受止面と前記元側傾斜受止面とが、釣り人の手首の曲がり具合に沿った山形形状を呈している点にあり、その作用効果は次ぎの通りである。
【００１０】
〔作用効果〕
上記構成によると、先側傾斜受止面のみならず元側傾斜受止面をも手首の曲がりに沿った形状に構成してあるので、リールシートを握る手のみならず竿体の外周面に載置する肘の載置姿勢も安定し、竿を持つ手の負担が軽減する。
【００１１】
〔構成〕
請求項３に係る発明の特徴構成は、請求項１または２記載の釣り竿用尻手ロープ係止具を装着してある点にあり、その作用効果は次の通りである。
【００１２】
〔作用効果〕
先側傾斜受止面を備えた釣り竿用尻手ロープ係止具を装着してあるので、手首が安定し、釣上げ操作をより容易に行い得る釣り竿を提供できるに至った。
【発明を実施するための最良の形態】
【００１３】
磯竿Ａについて説明する。図１に示すように、磯竿Ａは、竿体としての元竿１にリールシート２を装着するとともに、リールシート２の竿尻端に尻栓３を設け、リールシート２の竿尻側に釣り竿用尻手ロープ係止具５を装備してある。
【００１４】
図１に示すように、リールシート２は、竿先側に固定フード２Ａと、竿尻側に可動フード２Ｂ、駆動ナット２Ｃを配置し、両フード２Ａ、２Ｂでスピニングリール４の脚部４Ａを装着固定している。
図１においては、リールシート２にスピニングリール４を装着する場合を示したが、リールシート２に両軸受リール（図示せず）を装着する場合は、釣り竿用尻手ロープ係止具５を両軸受リールがリールシート２によって固定される側に形成する。
【００１５】
釣り竿用尻手ロープ係止具５について説明する。図１及び図２に示すように、釣り竿用尻手ロープ係止具５は、板状部材を曲げ形成したものであり、竿先側端ａと竿尻側端ｂとの横幅が狭く、中間部ｃが幅広に形成してある。中間部ｃより竿先側には、竿尻側ほど元竿１の外周面1Ａから離れる状態に立ち上がる先側傾斜受止面５Ａが形成してある。その先側傾斜受止面５Ａより竿尻側には、竿尻側ほど元竿１の外周面に近づく状態に立ち下る元側傾斜受止面５Ｂが形成してある。
【００１６】
図１及び図２に示すように、先側傾斜受止面５Ａと元側傾斜受止面５Ｂとは、中間部ｃの滑らかな曲面で繋がれており、釣り竿用尻手ロープ係止具５が全体として滑らかな曲面形状を呈している。先側傾斜受止面５Ａの先端側には元竿１の外周面1Ａに載置される先脚部５ａを形成してあり、元側傾斜受止面５Ｂの竿尻端側には元竿１の外周面に載置される元脚部５ｂを形成してある。
釣り竿用尻手ロープ係止具５に使用される材料としては、チタン、アルミ等の軽量金属、又は、ナイロン、ＰＥ、ＰＥＴ、ＡＢＳ樹脂等を使用することができる。
【００１７】
以上のような構成になる釣り竿用尻手ロープ係止具５を取り付けるには、次ぎのような構成を採る。図１に示すように、リールシート２のスピニングリール４の取付位置に対して竿軸芯を挟んで反対側の外周面１Ａに、先脚部５ａと元脚部５ｂとを載置する。
先脚部５ａと元脚部５ｂとを元竿１の外周面1Ａに接触させた状態で、組付用糸６でその外周面に取り付け固定する。取り付けた状態のものに対して樹脂塗料７を肉盛して、組付用糸６の巻付け状態を固定するように構成してある。
【００１８】
以上のようにして固定した釣り竿用尻手ロープ係止具５は、先側傾斜受止面５Ａ及び元側傾斜受止面５Ｂの元竿１の外周面１Ａに向かう下向き面とその元竿１の外周面１Ａとの間に、空間が形成される。
この空間部分を通して、竿体繋ぎ止め用紐状体８を挿通することができるので、この空間を、竿体繋ぎ止め用紐状体８を係止する挿通係止孔５Ｃと称する。
【００１９】
竿受け（図示せず）に置き竿して、磯竿Ａを水平姿勢に保持するとともに、釣り竿用尻手ロープ係止具５の挿通係止孔５Ｃを通して竿体繋ぎ止め用紐状体８をピトン（図示せず）に係止することによって、磯竿Ａが海中に引き込まれることを阻止できる。
ただし、ピトンとしては、パイプ上の保持筒を上下方向向きにして磯等に立設したものを使用し、その保持筒に磯竿Ａの元竿部分を装入して保持する構成を採ってもよい。この場合にも、竿体繋ぎ止め用紐状体８を保持筒に係止することによって、磯竿Ａを係止できる。
【００２０】
釣り竿用尻手ロープ係止具５を取り付けた状態で、リールシート２とスピニングリール４を共握りすると、手の平の側面部分から手首に掛けての部分が先側傾斜受止面５Ａに密着する状態となり、同時に手首から細腕部分に掛けての部分が元側傾斜受止面５Ｂに密着する状態となり、手首の部分が安定して支持される。
【００２１】
釣り竿用尻手ロープ係止具５における中間部ｃの断面形状を図３に示すように、形成する。つまり、中間部ｃにおける左右幅方向の両端をｄ，ｅとして、図３（ａ）に示すように、中間部ｃと左右の両端ｄ，ｅとを同一高さとなるように形成する。これによって、手首を広い面で載置することができ、釣り竿用尻手ロープ係止具５で手首を安定して支持することができる。
【００２２】
図３（ｂ）に示すように、中間部ｃが左右の両端ｄ，ｅより盛り上がった状態に形成する。この盛り上がり部に沿って手首を載置することによって、釣り竿用尻手ロープ係止具５で手首を支持することができ、かつ、盛り上がり部を形成することによって、板状部材で釣り竿用尻手ロープ係止具５を構成したものであっても、平板状のものに比べて強度の高いものにできる。
盛り上がり部は、中間部ｃだけでなく、先側傾斜受止面５Ａ及び元側傾斜受止面５Ｂに亘る範囲で設けてもよい。これによって、手首を載置すべき部位が明確になる。
【００２３】
図３（ｃ）に示すように、中間部ｃが左右の両端ｄ，ｅより下向きに凹入する状態に形成する。この凹入部に沿って手首を載置することによって、釣り竿用尻手ロープ係止具５で手首を落とし込み状態で支持することができ、安定支持が可能である。しかも、凹入部を形成することによって、平板状のものに比べて板状部材で釣り竿用尻手ロープ係止具５を構成したものであっても、強度の高いものにできる。
凹入部は、中間部ｃだけでなく、先側傾斜受止面５Ａ及び元側傾斜受止面５Ｂに亘る範囲で設けてもよい。これによって、手首を載置すべき部位が明確になる。
【００２４】
以上のような構成より、磯竿Ａを置き竿した状態で、魚の当りがあった場合には、竿体繋ぎ止め用紐状体８を釣り竿用尻手ロープ係止具５とピトンとの間に掛け渡した状態で、釣り人は竿受けより磯竿Ａを取外し、一方の手でリールシート２と元竿１とを共握りして、他方の手で元竿１の竿尻端部にあてがって釣り操作を行う。その場合に手首が釣り竿用尻手ロープ係止具５に支持されることによって、釣操作が安定する。
【００２５】
〔他の実施形態〕
（１）上記実施形態のものは、磯竿Ａのみでなく、船竿等にも使用できる。
（２）図４に示すように、釣り竿用尻手ロープ係止具５としては、単一の板材を曲げ形成して構成したが、先側傾斜受止面５Ａ及び元側傾斜受止面５Ｂに亘る下向き面に、直交する姿勢のリブ５Ｄを設けてよい。ただし、リブには竿体繋ぎ止め用紐状体８を係止する挿通係止孔５Ｃを設ける。
（３）図５に示すように、釣り竿用尻手ロープ係止具５としては、円筒状の本体部分に、先側傾斜受止面５Ａ及び元側傾斜受止面５Ｂとを形成した板状のものを一体的に結合させたものでもよい。このように、円筒状の本体部分を備えているので、この円筒状の本体部分を元竿１に被せることによって、接着固定することができる。
【図面の簡単な説明】
【００２６】
【図１】リールシートの竿尻端側に、釣り竿用尻手ロープ係止具を設けた状態を示す元竿部分を示す側面図
【図２】リールシートの竿尻端側に、釣り竿用尻手ロープ係止具を設けた状態を示す元竿部分を示す斜視図
【図３】釣り竿用尻手ロープ係止具の中間部における縦断正面図を示し、（ａ）は中間部が平坦面状のものを示し、（ｂ）は中間部が盛り上がりを有するものを示し、（ｃ）は中間部が凹入するものを示す
【図４】補強リブを備えた釣り竿用尻手ロープ係止具の別実施構造を示す斜視図
【図５】円筒状の本体部分を備えた釣り竿用尻手ロープ係止具の別実施構造を示す斜視図
【符号の説明】
【００２７】
１              元竿（竿体）
１Ａ            外周面
２              リールシート
５              釣り竿用尻手ロープ係止具
５Ａ            先側傾斜受止面
５Ｂ            元側傾斜受止面
５Ｃ            挿通係止孔
８              竿体繋ぎ止め用紐状体
【図１】
0004954011.tif 000002
【図２】
0004954011.tif 000003
【図３】
0004954011.tif 000004
【図４】
0004954011.tif 000005
【図５】
0004954011.tif 000006